(57)【特許請求の範囲】
【請求項１】
背もたれ部及び座部を構成するシェルを一体的にブロー成形した椅子において、
シェルにおける背もたれ部と座部との境の屈曲部の後側に、縦方向の複数の凹入溝とした後側補強部を形成するとともに、シェルの背もたれ部前側と座部の表面側とに、くぼみとした前側補強部を形成し、前記後側補強部の凹入溝を、前記シェル内部で前側補強部の上下のくぼみと接合してなることを特徴とする椅子。
【請求項２】
シェルの背もたれ部前側のくぼみを、左右２箇所に縦方向を向くように設けた請求項１記載の椅子。
【請求項３】
背もたれ部及び座部の境をなす屈曲部の幅を、背もたれ部及び座部よりも狭くしたことを特徴とする請求項１または２記載の椅子。
【請求項４】
前側補強部を、屈曲部の上部と下部とに離隔して分割形成し、かつこれらの両前側補強部をクッション材取付部に設けたことを特徴とする請求項１〜３のいずれかに記載の椅子。
【発明の詳細な説明】
【０００１】
【発明の属する技術分野】
本発明は、シェルをブロー成形により一体的に形成してなる椅子に関する。
【０００２】
【従来の技術】
従来の椅子の代表的なものとして、実開昭59-21260号公報、又は実開平4-86446号公報記載の椅子が公知である。これらの椅子は、中空成形されたシェルによって、背もたれ部と座部とが一体化されている。
【０００３】
また、実公平1-36439号公報には、背もたれ部及び座部を一体に成形したシェルを使用し、座部には、強度を向上させるリブを設けた椅子が記載されている。
【０００４】
【発明が解決しようとする課題】
しかし、上記実開昭59-21260号公報、又は実開平4-86446号公報記載の椅子の場合、背もたれ部及び座部ともに、平坦に形成され、かつ強度を向上させるリブ等が設けられていないために、背もたれ部に荷重がかかったときに、強度的に不安があるという問題がある。
【０００５】
また、実公平1-36439号公報記載の椅子では、リブが設けられてはいるが、背もたれ部と座部とを接続する屈曲部にはリブが存在しないため、背もたれ部に負荷がかかった場合には、やはり、強度的に不十分である。一方、この形状で強度を確保しようとすると、必然的にシェルの肉厚を厚くする必要があるため、多く材料を必要とし、コストアップの原因となる。
【０００６】
本発明は、従来の技術が有する上述のような問題点に鑑みてなされたもので、ブロー成形によって、背もたれ部と座部とが一体化されたシェルを有する椅子において、その強度的弱点である背もたれと座部とを接続する屈曲部の強度が高く、しかもデザイン的にも優れた椅子を提供することを目的とする。
【０００７】
【課題を解決するための手段】
本発明は、次のようにして上記課題を解決している。
(１)背もたれ部及び座部を構成するシェルを一体的にブロー成形した椅子において、シェルにおける背もたれ部と座部との境の屈曲部の後側に、縦方向の複数の凹入溝とした後側補強部を形成するとともに、シェルの背もたれ部前側と座部の表面側とに、くぼみとした前側補強部を形成し、前記後側補強部の凹入溝を、前記シェル内部で前側補強部の上下のくぼみと接合する。
【０００８】
(２)上記（１)項において、シェルの背もたれ部前側のくぼみを、左右２箇所に縦方向を向くように設ける。
【０００９】
(３)上記（１)項または（２)項において、背もたれ部及び座部の境をなす屈曲部の幅を、背もたれ部及び座部よりも狭くする。
【００１０】
(４)上記（１)項〜（３)項において、前側補強部を、屈曲部の上部と下部とに離隔して分割形成し、かつこれらの両前側補強部をクッション材取付部に設ける。
【００１１】
【発明の実施の形態】
次に、本発明の実施の形態を、添付図面を参照しながら説明する。
【００１２】
図１は、本実施形態の椅子の分解斜視図である。この椅子は、シェル(10)と、シェル(10)を支持する脚部(12)等とから構成されている。
【００１３】
シェル(10)は、座部(14)と背もたれ部(16)とからなり、ポリエチレン、ポリプロピレン等の樹脂をブロー成形することによって、一体的に形成されている。シェル(10)の座部(14)及び背もたれ部(16)の表面には、図示しないクッション材が取り付けられる。
【００１４】
図１及び図２に示すように、シェル(10)の座部(14)と背もたれ部(16)との境をなす屈曲部(18)は、座部(14)及び背もたれ部(16)の幅よりも狭く形成されている。屈曲部(18)における前面のほぼ中央下部には、前側補強部として、凹入する縦方向の２箇所のくぼみ(20)が、形成されている。
【００１５】
図３は、シェル(10)の底面図である。図２及び図３に示すように、屈曲部(18)の後側には、後側補強部として、縦方向の複数の凹入溝(22)が、屈曲部(18)に沿って形成されている。
【００１６】
図４は、図２のIV-IV線に沿った断面図、図５は、図２のV-V線に沿った断面図、図６は、図２のVI-VI線に沿った断面図、図７は、図４のVII-VII線に沿った断面図である。
【００１７】
図５に示すように、凹入溝(22)は、シェル(10)の背もたれ部(16)の後側に、屈曲面(18)に沿って縦方向に形成された直線状の溝で、５個設けられている。図６に示すように、凹入溝(22)の先端は、背もたれ(16)の前側のくぼみ(20)と、シェル(10)の内部で接合されている。
【００１８】
図１及び図７に示すように、座部(14)に位置する凹入溝(22)は、座部(14)の表面側に形成された横長のくぼみ(24)と接合されている。即ち、凹入溝(22)は、前述したくぼみ(20)に加えて、座部(14)のくぼみ(24)と接合されることによって、背もたれ部(16)と座部(14)との境の屈曲部(18)の強度を飛躍的に向上させている。
【００１９】
以上のくぼみ(20)(24)は、椅子の完成時には、背及び座のクッション材に覆われるため、椅子の美観を悪化させることはない。一方、凹入溝(22)は、椅子の背面部のアクセント的存在ともなり、デザイン向上の一助となる。
【００２０】
このように、本実施形態によれば、椅子の主要部をなすシェル(10)に、補強を目的として、前側にくぼみ(20)(24)、後側に凹入溝(22)を形成し、これらをシェル(10)の内部で接合している。このため、背もたれ部(16)に荷重がかかったときに、屈曲部(18)の曲げに対する強度を向上させることができる。
【００２１】
また、シェル(10)の肉厚を厚くすることなく、強度を向上させることができるので、シェル(10)の製造に必要な材料を減らすことができ、コストダウンを図ることが可能である。
【００２２】
本実施形態では、前側及び後側補強部として、シェル(10)に凹入するくぼみ(20)(24)及び凹入溝(22)を形成しているが、凹入溝(22)をシェル(10)から突出するリブとし、シェル(10)の内部で、くぼみ(20)(24)と接合するようにしても同様の効果を得ることができる。
【００２３】
【発明の効果】
本発明によれば、次のような効果を奏することができる。
(a) 請求項１の発明によると、シェルにおける背もたれ部と座部との境の屈曲部の後側に、縦方向の複数の凹入溝とした後側補強部を形成するとともに、シェルの背もたれ部前側と座部の表面側とに、くぼみとした前側補強部を形成し、前記後側補強部の凹入溝を、前記シェル内部で前側補強部の上下のくぼみと接合している。このため、シェルの背もたれ部と座部との境の屈曲部の強度が向上し、椅子全体の耐久性を高めることができる。
【００２５】
(c) 請求項３の発明によると、屈曲部の幅を、背もたれ部及び座部よりも狭くしているので、椅子の軽量化を図ることができ、椅子の取り扱いが容易となる。
【００２６】
(d)請求項４の発明によると、分割形成された前側補強部がクッション材に覆われて見えなくなるため、見栄えが良好になる。
【図面の簡単な説明】
【図１】  本発明の一実施形態が適用された椅子の分解斜視図である。
【図２】  同じく、本実施形態の椅子の要部であるシェルの正面図である。
【図３】  同じく、本実施形態の椅子のシェルの底面図である。
【図４】  図２のIV−IV線に沿った矢視断面図である。
【図５】  図２のＶ−Ｖ線に沿った矢視断面図である。
【図６】  図２のVI−VIに沿った矢視断面図である。
【図７】  図４のVII−VII線に沿った矢視断面図である。
【符号の説明】
(10)シェル
(12)脚部
(14)座部
(16)背もたれ部
(18)屈曲部
(20)くぼみ
(22)凹入溝
(24)くぼみ
【図１】
0004087491.tif 000002
【図２】
0004087491.tif 000003
【図３】
0004087491.tif 000004
【図４】
0004087491.tif 000005
【図５】
0004087491.tif 000006
【図６】
0004087491.tif 000007
【図７】
0004087491.tif 000008